(57)【要約】【課題】本発明の課題は、一点に置いた地球儀を実時間で模擬した公転と自転を行なうようにしたことである。【解決手段】上記の課題を解決するため、地球儀模擬公転軸１を１年に１回転、また、地球儀の自転は、地球儀模擬公転軸１の中空パイプ内を通る地球儀自転可撓回転伝達軸８によって行なうようにしたことである。【選択図】図１
2004326061.tif 000002
【特許請求の範囲】
【請求項１】
一点に置いた地球儀において、実時間で模擬した公転と自転を行う地球儀。
【請求項２】
請求項１の地球儀と、日時節気等表示部又は時計を組合わせたことを特徴とする地球儀時計。
【発明の詳細な説明】
【０００１】
【発明の属する技術分野】
本発明は、ある一点に置いた地球儀において、実際の地球の公転と自転が模擬できるようにし、年間を通じて実時間で太陽に対する地球の天体運動が理解できるようにした教材に関する。
【０００２】
【従来の技術】
太陽に対する地球の天体運動の教育は、現存の地球儀により行なわれている。
【０００３】
【発明が解決しようとする課題】
本発明は、自国に四季をもたらし四季により日出や日没時間が変化する理由、寒暖が生ずる理由、春分、夏至、秋分、冬至等の節季が存在する理由及び自国と他国の昼夜の関係等が本地球儀を一見することにより、年間を通じ実時間で立体的、かつ感覚的に理解できるようにしたものである。
【０００４】
【課題を解決するための手段】
以下、図６〜図９により本地球儀が模擬公転できる理由を説明する。
【０００５】
図６は、地球の天体運動において、地球が代表的な点である冬至点、春分点、夏至点及び秋分点に位置した場合の状態を示したものである。この図６に示した各地球は、すべて東京からみて太陽が南中している場合を示したものである。
【０００６】
図７は、図６の春分点、夏至点及び秋分点の３点に位置している地球を、それぞれ冬至点に移動する場合の要領を示したものであり、図７ａは春分点の地球を冬至点に、図７ｂは夏至点の地球を冬至点に、また、図７ｃは秋分点の地球を冬至点にそれぞれ移動した場合を示したものである。この場合、地球の移動は、東京からみて太陽が常に南中している状態で移動する。
【０００７】
図８は以上説明したことをまとめた図であり、同図の図８ａが冬至点の地球、図８ｂは春分点の地球を冬至点に移動した場合の地球、図８ｃは夏至点の地球を冬至点に移動した場合の地球、図８ｃは秋分点の地球を冬至点に移動した場合の地球をそれぞれ示したものである。
【０００８】
この図８から、春分点と秋分点の地球の自転軸の傾斜（２３．５°）は、それぞれ左右逆向きになっている。また、冬至点と夏至点の地球の自転軸の傾斜は、紙面に対しそれぞれ表裏逆向きになっている。
【０００９】
以上説明したことをある一点に置いた地球儀により実現できるようにしたのが図９に示す地球儀模擬公転軸１である。この地球儀模擬公転軸１を矢印ａの方向に１年に１回転させれば、ある一点に置いた地球儀２は、実際の地球に模擬した公転を行なうことができる。
【００１０】
【発明の実施の形態】
以下、図１により本発明の請求項１の機構、回路系統に関する実施の形態を説明する。また、図２〜４により本発明の請求項２の実施の形態例１を、図５により実施の形態例２を説明する。
【００１１】
（請求項１の実施の形態）
図１に示す地球儀模擬公転軸１は、中空のパイプで、地球儀模擬公転軸垂直部１ａと地球儀模擬公転軸水平部１ｂ及び地球儀自転軸軸受部１ｃからなり、地球儀模擬公転軸水平部１ｂと地球儀自転軸軸受部１ｃの角度は６６．５度である。また、地球儀模擬公転軸垂直部１ａの延長線と地球儀自転軸軸受部１ｃの各延長線の交点が地球儀２の中心２ａである。
【００１２】
地球儀模擬公転歯車３は地球儀模擬公転軸１の下端に取り付けられており、地球儀模擬公転軸軸受４は、地球儀模擬公転軸１の軸受であり、地球儀台５の上面中心に取り付けられている。
【００１３】
地球儀自転軸６と地球儀自転歯車７は、地球儀模擬公転軸１の中空パイプ内を通る地球儀自転可撓回転伝達軸８によって結合されている。
【００１４】
実時間発生回路９は、暦上の実時間信号を発生する回路で、地球儀模擬公転制御回路１０、地球儀自転制御回路１１及び日時節季等制御回路１２に対し、それぞれ上記の暦上の実時間信号を送る。
【００１５】
地球儀模擬公転制御回路１０は、実時間発生回路９から送られてくる実時間信号を受け、地球儀模擬公転歯車駆動機構１３及び地球儀模擬公転歯車３を介して地球儀模擬公転軸１を矢印ａの方向に１日３６５分の１度回転させる信号を出力し、地球儀模擬公転軸１を１年に１回転させる。
【００１６】
地球儀自転制御回路１１は、実時間発生回路９から送られてくる実時間信号を地球儀自転歯車駆動機構１４及び地球儀自転歯車７を介して地球儀自転可撓回転伝達軸８を矢印ｂの方向に１日１回転させる信号を出力し、地球儀２を矢印ｃの方向に自転させる。
【００１７】
日時節季等制御回路１２は、実時間発生回路９から送られてくる実時間信号により、日時、曜日及び節気等を日時節季等表示部１５に表示できる信号を出力する。日時節季等表示部１５は、それらの信号を受けて日時、曜日及び節気等を表示する。
【００１８】
なお、日時節季等制御回路１２及び日時節季等表示部１５に関する上記は、請求項１の地球儀の実施の形態においては省略できるが、請求項２において応用するため、請求項１の実施の形態において説明したものである。
【００１９】
（請求項２の実施の形態例１）
図２は、請求項１の実施の形態を請求項２の実施の形態例１として応用した地球儀時計の正面図であり、図３は図２のＡ−Ａ線断面図である。以下、図２〜図３により請求項２の実施の形態例１について説明する。
【００２０】
図２と図３に示す子午線環１６と昼夜境界環１７は、どこの国が正午頃であるか、また、どの国が日出時であるかが一見して分かるようにしたものである。子午線環１６の面は、地球儀２の中心２ａを通り、かつ太陽方向矢印１８の方向に一致するように地球儀台５に取り付けられている。昼夜境界環１７の面は地球儀２の中心２ａを通り、かつ、子午線環１６の面に直角になるように地球儀台５に取り付けられている。
【００２１】
月節季等表示盤１９は、地球儀２の模擬公転に対する月及び節季等との関係を示すものであり、地球儀模擬公転軸水平部１ｂと同一方向に取り付けた月節季等指針２０によって指示するようにすれば、実際の地球の公転と月や節季等の関係などがわかる。
【００２２】
図４は、請求項２の実施の形態例１の右側面図である。
【００２３】
（請求項２の実施の形態例２）
図５は、請求項２の実施の形態例２の正面図である。この実施の形態例２は、請求項２の実施の形態例１の地球儀時計と、通常の時計２１を台２２に設置、組合わせたものであるから、日時表示を省略し、節気等の表示のみとしてもよい。
【００２４】
【発明の効果】
本地球儀時計を家庭及び学校等に設置し、年間を通じて継続的にみることにより子供達に対し、次のような教育効果が期待できる。
【００２５】
１年を通じて月日が経過していくということが、地球の天体運動という観点から理解できる。また、日本時間に対し、世界の国々の時間帯が本地球儀時計を一見するだけで容易に理解できる。例えば、国際的な事件やイベントがテレビで放映された場合、日本時間に対し当該国の時間が昼であるか夜であるかなど、本地球儀を一見するだけで容易に知ることができ、ニュースがより有意義に理解できるようになる。
【００２６】
我が国に古くから存在する立春、春分の日、立夏、夏至、立秋、秋分の日、立冬及び冬至等の節気の意味、四季と寒暖の関係、四季により日出や日没時間が変化していく様子、極地方に白夜が生ずる理由などが、本地球儀時計を一見することにより立体的かつ感覚的に理解できる。
【００２７】
本地球儀時計は、一見して各国の概略の時間帯が分かるので、単に教材というだけでなく、国際的業務にたずさわる関係者にも有効である。
【図面の簡単な説明】
【図１】請求項１の実施の形態に関する機構、回路系統の説明図
【図２】請求項２の実施の形態例１に関する正面図
【図３】図２のＡ−Ａ線断面図
【図４】請求項２の実施の形態例１に関する右側面図
【図５】請求項２の実施の形態例２に関する正面図
【図６】本地球儀が模擬公転できることを説明するための第１の説明図
【図７】同上第２の説明図
【図８】同上第３の説明図
【図９】同上第４の説明図
【符号の説明】
１  地球儀模擬公転軸
１ａ地球儀模擬公転軸垂直部
１ｂ地球儀模擬公転軸水平部
１ｃ地球儀自転軸軸受部
２  地球儀
３  地球儀模擬公転歯車
６  地球儀自転軸
７  地球儀自転歯車
８  地球儀自転可撓回転伝達軸
９  実時間発生回路
１０  地球儀模擬公転制御回路
１１  地球儀自転制御回路
１２  日時節季等制御回路
１３  地球儀模擬公転歯車駆動機構
１４  地球儀自転歯車駆動機構
１５  日時節季等表示部
１６  子午線環
１７  昼夜境界環
１９  月節季等表示盤
２０  月節季等指針
２１  時計
【図１】
2004326061.tif 000003
【図２】
2004326061.tif 000004
【図３】
2004326061.tif 000005
【図４】
2004326061.tif 000006
【図５】
2004326061.tif 000007
【図６】
2004326061.tif 000008
【図７】
2004326061.tif 000009
【図８】
2004326061.tif 000010
【図９】
2004326061.tif 000011